(57)【要約】【課題】作業可能な空間が狭い箇所であっても、作業性良く給油作業可能なグリース塗布用ノズルおよびグリース塗布具を提供する。【解決手段】グリースが収容された収容器１０に接続される接続部２１と、扁平状の塗布部２２とを備え、塗布部２２の主面２３には、グリースを吐出するグリース穴２４およびグリース穴２４より吐出させられたグリースを塗布対象物に塗り付ける塗付け部材２５が設けられる。塗布部２２が扁平状になっており、その塗布部の主面２３にグリース穴２４および塗付け部材２５が設けられているので、狭い箇所でも作業性良く給油作業ができる。【選択図】図１
2015121303.tif 000002
【特許請求の範囲】
【請求項１】
グリースが収容された収容器に接続される接続部と、
扁平状の塗布部とを備え、
前記塗布部の主面には、前記グリースを吐出するグリース穴および該グリース穴より吐出させられた前記グリースを塗布対象物に塗り付ける塗付け部材が設けられているグリース塗布用ノズル。
【請求項２】
前記接続部は、前記塗布部の長手方向端部に設けられている請求項１に記載のグリース塗布用ノズル。
【請求項３】
前記グリース穴は、前記塗布部の長手方向に関して前記接続部が設けられている側とは反対側に片寄った位置に設けられている請求項２に記載のグリース塗布用ノズル。
【請求項４】
前記塗布部には、前記塗付け部材として前記塗布部の長手方向に沿って延伸したものが複数列並列して設けられるとともに、前記グリース穴が前記複塗付け部材の列と列との間に設けられている請求項１ないし３のいずれかに記載のグリース塗布用ノズル。
【請求項５】
グリースが収容された収容器と、
前記収容器に接続され、前記グリースを塗布対象物に塗布するノズルとを備え、
前記ノズルは、扁平状の塗布部を有し、該塗布部の主面には、前記グリースを吐出するグリース穴と、該グリース穴より吐出させられたグリースを塗布対象物に塗り付ける塗付け部材とが設けられているグリース塗布具。
【発明の詳細な説明】
【技術分野】
【０００１】
本発明は、潤滑用のグリースを塗布対象物に塗布するためのグリース塗布具および該グリース塗布具に用いるグリース塗布用ノズルに関するものである。
【背景技術】
【０００２】
従来、グリース等の潤滑油を塗布対象物に塗布する塗布具として、潤滑油を収容した収容器と、その収容器に取り付けられた塗布部を備えるものが知られている（特許文献１）。
【先行技術文献】
【特許文献】
【０００３】
【特許文献１】実開昭６０−１８２６００号公報
【発明の概要】
【発明が解決しようとする課題】
【０００４】
ところで、作業可能な空間が狭い箇所にも給油を行う必要が生じることも考えられるが、塗布対象物や給油箇所によっては、特許文献１に記載の塗布具では作業がしにくく作業時間がかかったり作業品質が悪かったりする問題があった。
【０００５】
本発明はこのような課題に鑑みてなされたものであり、作業可能な空間が狭い箇所であっても、作業性良く給油作業可能なグリース塗布用ノズルおよびグリース塗布具を提供することを主目的とする。
【課題を解決するための手段】
【０００６】
本発明は、上述の主目的を達成するために以下の手段を採った。
【０００７】
即ち、本発明のグリース塗布用ノズルは、グリースが収容された収容器に接続される接続部と、扁平状の塗布部とを備え、前記塗布部の主面には、前記グリースを吐出するグリース穴および該グリース穴より吐出させられた前記グリースを塗布対象物に塗り付ける塗付け部材が設けられたものである。
【０００８】
このグリース塗布用ノズルでは、塗布部が扁平状になっており、その塗布部の主面にグリース穴および塗付け部材が設けられているので、作業可能な空間が狭い箇所であっても、作業性良く給油作業ができる。
【０００９】
本発明のグリース塗布用ノズルにおいて、前記接続部は、前記塗布部の長手方向端部に設けられるようにしてもよい。こうすれば、収容器が塗布部の端部に取り付けられるので、作業可能な空間が狭い箇所に塗布部を侵入させ易くすることができる。
【００１０】
本発明のグリース塗布用ノズルにおいて、前記グリース穴は、前記塗布部の長手方向に関して前記接続部が設けられている側とは反対側に片寄った位置に設けられるようにしてもよい。こうすれば、奥まった給油箇所にも作業性良く給油作業ができる。
【００１１】
本発明のグリース塗布用ノズルにおいて、前記塗付け部材として前記塗布部の長手方向に沿って延伸したものが複数列並列して設けられるとともに、前記グリース穴が前記複塗付け部材の列と列との間に設けられるようにしてもよい。こうすれば、グリース穴に対して両側に塗付け部材が設けられるので、グリース穴から吐出したグリースを給油箇所に塗付ける際に、塗付け部材の延伸方向と交差する方向に関していずれの方向にも作業性良く給油作業を行うことができる。
【００１２】
本発明のグリース塗布具は、グリースが収容された収容器と、前記収容器に接続され、前記グリースを塗布対象物に塗布するノズルとを備え、前記ノズルは、扁平状の塗布部を有し、該塗布部の主面には、前記グリースを吐出するグリース穴と、該グリース穴より吐出させられたグリースを塗布対象物に塗り付ける塗付け部材とが設けられたものである。
【００１３】
このグリース塗布具では、ノズルの塗布部が扁平状になっており、その塗布部の主面にグリース穴および塗付け部材が設けられているので、作業可能な空間が狭い箇所であっても、作業性良く給油作業ができる。
【図面の簡単な説明】
【００１４】
【図１】本実施形態におけるグリース塗布具の説明図である。
【図２】本実施形態におけるキャップを装着した状態のグリース塗布具の説明図である。
【図３】図１の正面図である。
【図４】図１の側面図である。
【発明を実施するための形態】
【００１５】
本発明の好適な実施形態を図面を参照しながら以下に説明する。
【００１６】
図１に示すように、グリース塗布具１は、収容器１０と、その収容器１０に接続されたノズル２０とを備えている。また、グリース塗布具１は、図２に示すように、ノズル２０に着脱可能なキャップ３０を備えている。
【００１７】
収容器１０は、可撓性を有し、内部にグリースが収容されている。また、収容器１０は開口部１１を有しており、開口部１１にノズル２０が接続される。
【００１８】
ノズル２０は、収容器１０と接続される接続部２１と、グリースを塗布対象物に塗布する塗布部２２とを備えている。塗布部２２は、接続部２１から接続部２１の開口方向と平行に延び出しており、接続部２１は塗布部２２の長手方向端部に設けられている。図３、図４に示すように、塗布部２２は、その長手方向の長さＬおよび幅方向の長さＷに比べて厚み方向の長さＴが小さい扁平形状をしており、塗布部２２の主面２３にはグリースを吐出するグリース穴２４および、そのグリース穴２４より吐出させられたグリースを塗布対象物に塗り付けるブラシやへら等の塗付け部材２５が設けられている。塗付け部材２５は、主面２３から突出しているが、突出長さは塗布部２２の幅方向長さＷよりも小さくなっている。また、塗付け部材２５は塗布部２２の長手方向に沿って延伸したものが２列並列して設けられており、その塗付け部材２５の列と列との間にグリース穴２４が設けられている。接続部２１の開口とグリース穴２４はノズル２０の内部で連通しており、収容器１０から供給されたグリースはノズル２０の内部を経由してグリース穴２４から吐出させられる。グリース穴２４は、塗布部２２の先端に近い位置に設けられており、塗布部２２の長手方向に関して接続部２１が設けられている側とは反対側に片寄った位置となっている。
【００１９】
以上説明した本実施形態のグリース塗布具１を用いて、塗布対象物にグリースを塗布する給油作業が行われる。作業者が収容器１０を絞ると、収容器１０内のグリースが収容器１０の開口部１１からノズル２０の内部を経由してグリース穴２４から吐出させられる。作業者は、吐出したグリースを塗付け部材２５を使って塗布対象物に塗布する。本実施形態のノズル２０では、塗布部２２が扁平状になっており、その塗布部２２の主面２３にグリース穴２４および塗付け部材２５が設けられているので、作業可能な空間が狭い箇所であっても、作業性良く給油作業を行うことができる。
【００２０】
また、ノズル２０の接続部２１が塗布部２２の長手方向端部に設けられているので、収容器１０が塗布部２２の端部に取り付けられることとなり、作業可能な空間が狭い箇所に塗布部２２を侵入させ易くすることができる。
【００２１】
さらに、グリース穴２４が、塗布部２２の長手方向に関して接続部２１が設けられている側とは反対側に片寄った位置に設けられているので、奥まった給油箇所にも作業性良く給油作業ができる。
【００２２】
さらにまた、塗布部２２の長手方向に沿って延伸した塗付け部材２５が２列並列して設けられるとともに、グリース穴２４が塗付け部材２５の列と列との間に設けられているので、グリース穴２４に対して両側に塗付け部材２５が設けられることとなり、グリース穴２４から吐出したグリースを給油箇所に塗付ける際に、塗付け部材２５の延伸方向と交差する方向に関していずれの方向にも作業性良く給油作業を行うことができる。
【００２３】
また、給油作業後はノズル２０にキャップ３０を装着することにより、塗布部２２に異物が付着することや、グリースの乾燥を防止することができる。
【００２４】
なお、上述の実施形態においては、塗付け部材２５を２列としたが、１列でも良いし、２列以上の複数としても良い。また、塗付け部材２５を３列以上設けた場合に、全ての列と列との間にグリース穴２４を設けても良いし、１部グリース穴２４を設けない箇所があっても良い。また、上記実施形態においては、塗布部２２が接続部２１から接続部２１の開口方向と平行に延び出していたが、接続部２１の開口方向に対して直角方向や斜め方向に延び出すようにしても良い。
【符号の説明】
【００２５】
１：グリース塗布具、１０：収容器、１１：開口部、２０：ノズル、２１：接続部、２２：塗布部、２３：主面、２４：グリース穴、２５：塗付け部材、３０：キャップ
【図１】
2015121303.tif 000003
【図２】
2015121303.tif 000004
【図３】
2015121303.tif 000005
【図４】
2015121303.tif 000006